(57)【要約】【課題】塗布具を容器体から抜き出す際に余分な内容物をしごき落とすことができると共に、塗布具を挿入する際に容器体内部の圧力が過大に上昇することを防ぐことができる塗布具付容器を提供することを目的とする。【解決手段】内容物を収容する容器体１と、容器体１の口部２から容器体１内に挿入された塗布具２０と、容器体１の内側に配設されていると共に内側に塗布具２０の棒部２２が挿通されて内周部が棒部２２の外周面に摺接された弾性変形可能な環状のしごき片３２と、を備える塗布具付容器Ａにおいて、しごき片３２の内周部に、しごき片３２の内縁の内側に突出した突起部３４が突設されている。【選択図】図１
2010259545.tif 000002
【特許請求の範囲】
【請求項１】
内容物を収容する容器体と、
該容器体の口部から該容器体内に挿入された塗布具と、
前記容器体の内側に配設されていると共に内側に前記塗布具の棒部が挿通されて内周部が前記棒部の外周面に摺接された弾性変形可能な環状のしごき片と、
を備える塗布具付容器において、
前記しごき片の内周部に、該しごき片の内縁の内側に突出した突起部が突設されていることを特徴とする塗布具付容器。
【請求項２】
請求項１に記載の塗布具付容器において、
前記突起部が前記しごき片に１つだけ設けられていることを特徴とする塗布具付容器。
【請求項３】
請求項１又は２に記載の塗布具付容器において、
前記突起部の先端と前記しごき片の内縁との間に、前記突起部の下面と前記しごき片の内縁面とからなる段差が形成されていることを特徴とする塗布具付容器。
【請求項４】
請求項１から３のいずれか一項に記載の塗布具付容器において、
前記突起部が前記しごき片の上面に突設されていることを特徴とする塗布具付容器。
【請求項５】
請求項１から４のいずれか一項に記載の塗布具付容器において、
前記突起部が、前記しごき片の径方向に沿って延設されていることを特徴とする塗布具付容器。
【発明の詳細な説明】
【技術分野】
【０００１】
本発明は、容器体の中に収容された液状や粉末状の内容物を対象物に塗布するための塗布具を有する塗布具付容器に関するものである。
【背景技術】
【０００２】
この種の塗布具付容器として、内容物を収容した容器体と、容器体の口部から容器体内に挿入された塗布具と、を備えた構成が知られている。上記した塗布具は、しごき部材の内側を通して容器体の内側に挿入された棒部の先端に筆状、ブラシ状、スポンジ状等の塗布部が設けられている。この塗布具付容器の使用方法としては、まず、塗布具の先端の塗布部に内容物を付着させた後、塗布具を容器体の口部から抜き出し、その後、塗布部に付着した内容物を対象物に塗布する。
【０００３】
上記した塗布具付容器では、塗布具の棒部に余分な内容物が付着すると、塗布具を使って内容物を塗布する際、棒部に付着した余分な内容物が垂れ落ちたり手等に付着したりするおそれがある。そこで、従来、例えば下記特許文献１に示すように、容器体の口部の内側に筒状のしごき部材を装着させる技術が提案されている。このしごき部材には、径方向内側に突出した環状のしごき片が設けられており、このしごき片の内側に塗布具の棒部が挿通され、その棒部の外周面にしごき片の内周部が摺接されている。このようなしごき部材が備えられた塗布具付容器によれば、塗布具を容器体の口部から抜き出す際、塗布具の棒部に付着した余分な内容物は、しごき片によってしごき落とすことができる。
【先行技術文献】
【特許文献】
【０００４】
【特許文献１】実開昭６０−１２６１０９号公報
【発明の概要】
【発明が解決しようとする課題】
【０００５】
ところで、塗布具が容器体内に挿入された状態においては、しごき片及び塗布具によって容器体内部が密閉されるため、塗布具を出し入れする度に容器体内部の圧力が増減する。特に、塗布具を挿入する際には、容器体内部の圧力が過大に上昇することがあり、その後、塗布具を抜き出すときには、容器体内部の空気が噴出すると同時に内容物が容器体の外側に飛散するおそれがある。
【０００６】
本発明は、上記した従来の問題が考慮されたものであり、塗布具を容器体から抜き出す際に余分な内容物をしごき落とすことができると共に、塗布具を挿入する際に容器体内部の圧力が過大に上昇することを防ぐことができる塗布具付容器を提供することを目的としている。
【課題を解決するための手段】
【０００７】
本発明に係る塗布具付容器は、内容物を収容する容器体と、該容器体の口部から該容器体内に挿入された塗布具と、前記容器体の内側に配設されていると共に内側に前記塗布具の棒部が挿通されて内周部が前記棒部の外周面に摺接された弾性変形可能な環状のしごき片と、を備える塗布具付容器において、前記しごき片の内周部に、該しごき片の内縁の内側に突出した突起部が突設されていることを特徴としている。
【０００８】
このような特徴により、塗布具をしごき片の内側に挿通させながら容器体の内部に挿入すると、しごき片に突設された突起部が塗布具の棒部によって押し下げられると共に、しごき片が塗布具の外周面によって軸方向下側にめくれるように弾性変形する。この際、突起部の周辺部においては、しごき片と塗布具の棒部の外周面との間に隙間があけられる。したがって、塗布具を容器体の内部に挿入する際に塗布具としごき片との間に発生する摩擦抵抗が低下すると共に、上記した隙間から容器体内の圧力が抜け出て容器体の内圧上昇が抑えられる。
【０００９】
一方、塗布具を容器体の内部から引き抜く際には、しごき片が塗布具の棒部の外周面によって軸方向上側にめくられるように弾性変形すると共に、塗布具の棒部がしごき片の内周部に対して摺動し、塗布具の棒部の外周面に付着した内容物がしごき片によってしごき落とされる。このとき、突起部がしごき片の内縁の内側に突出しているので、塗布具の引き抜き時に、突起部が塗布具の棒部の外周面によって軸方向上側に押し上げられる。これにより、しごき片が容易に上側にめくられるように弾性変形する。
【００１０】
また、本発明に係る塗布具付容器は、前記突起部が前記しごき片に１つだけ設けられていることが好ましい。
これにより、塗布具の引き抜き時に、塗布具の棒部によって突起部が容易に上側に押し上げられる。
【００１１】
また、本発明に係る塗布具付容器は、前記突起部の先端と前記しごき片の内縁との間に、前記突起部の下面と前記しごき片の内縁面とからなる段差が形成されていることが好ましい。
これにより、塗布具を引き抜き、塗布具の棒部によって突起部が上側に押し上げられたとき、しごき片の内周部が全周に亘って塗布具の棒部の外周面に密接し易くなる。その結果、塗布具の棒部に付着した内容物が全周に亘ってしごき落とされ易くなる。
【００１２】
また、本発明に係る塗布具付容器は、前記突起部が前記しごき片の上面に突設されていることが好ましい。
これにより、塗布具を挿入し、塗布具の棒部によってしごき片が下側にめくれるように弾性変形したとき、突起部の周囲において、しごき片と塗布具の棒部の外周面との間に隙間が確実にあけられる。
【００１３】
また、本発明に係る塗布具付容器は、前記突起部が、前記しごき片の径方向に沿って延設されていることが好ましい。
これにより、塗布具を挿入したとき、突起部が容易に押し下げられると共に、塗布具を引き抜いたとき、突起部が容易に押し上げられる。すなわち、突起部が上下それぞれに変形しやすいので、塗布具の出し入れの際に、突起部が塗布具を係止することがなく、しごき片が容易に弾性変形される。
【発明の効果】
【００１４】
本発明に係る塗布具付容器によれば、塗布具を容器体の内部に挿入する際には、容器体内部の過大な圧力上昇を防止することができるため、塗布具を容器体から抜き出す際に内容物が容器体の外側に飛散することを予防できる。
【図面の簡単な説明】
【００１５】
【図１】本発明の実施形態である塗布具付容器の要部を示す拡大断面図である。
【図２】図１の塗布具付容器を構成するしごき部材を軸方向に切断した半断面図である。
【図３】図１の塗布具付容器を構成するしごき部材を軸方向上方から上面図である。
【図４】図１の塗布具付容器において、塗布具を軸方向下側に移動させた際の塗布具としごき片との当接状態を示す要部拡大断面図である。
【図５】図１の塗布具付容器において、塗布具を軸方向上側に移動させた際の塗布具としごき片との当接状態を示す要部拡大断面図である。
【図６】本発明の他の実施形態を説明するためのしごき部材の半断面図である。
【図７】本発明の他の実施形態を説明するためのしごき部材の半断面図である。
【図８】本発明の他の実施形態を説明するためのしごき部材の半断面図である。
【図９】本発明の他の実施形態を説明するためのしごき部材の半断面図である。
【図１０】本発明の他の実施形態を説明するためのしごき部材の半断面図である。
【発明を実施するための形態】
【００１６】
以下に、図面を参照して本発明の実施形態について説明する。
図１に示すように、この実施形態に係る塗布具付容器Ａは、有底筒状の容器体１と、この容器体１の口部２に着脱可能に装着されるキャップ１０と、キャップ１０に固定される棒状の塗布具２０と、容器体１の内部に配設された筒状のしごき部材３０と、を備えている。これらの容器体１、キャップ１０、塗布具２０およびしごき部材３０はそれぞれ共通軸上に配設されている。
以下、この共通軸を軸線Ｌ１といい、軸線Ｌ１方向に沿ってキャップ１０側を上側といい、軸線Ｌ１方向に沿って容器体１の底部側を下側といい、また軸線Ｌ１に直交する方向を径方向という。
【００１７】
容器体１は、化粧液、薬液、接着液、洗浄液等の液状の内容物を収容する胴部３の上端（図１において上側）に、上方に向かうにしたがい漸次縮径された肩部４を連設し、さらに、この肩部４の上端に容器体１の軸線Ｌ１に沿って上方に向けて延びる略円筒形状の口部２を連設して形成されている。口部２の外周面には雄ネジ２Ａが形成されている。
なお、前述した化粧液の具体例としては、例えばマスカラやアイライナー、リップグロス等が挙げられる。
【００１８】
キャップ１０は、口部２の雄ネジ２Ａに螺合可能な雌ネジ１１Ａが形成された被着筒部１１を備えており、これによって口部２に着脱可能とされている。また、キャップ１０は、被着筒部１１の上端に連設されて軸線Ｌ１に沿って上方に向けて延びる固定用筒部１２を備えている。
【００１９】
塗布具２０は、固定用筒部１２の内側に嵌合される大径円柱形状の嵌合部２１と、嵌合部２１の下端面の中央部分から垂下された棒部２２と、棒部２２の先端に設けられた図示せぬ塗布部と、を備えている。この塗布具２０は、キャップ１０に固定された状態において軸線Ｌ１に沿って下方に延びており、キャップ１０を口部２に装着した状態で、棒部２２がしごき部材３０の内側に挿通されて容器体１の内側に挿入されている。また、図示せぬ塗布部の具体例としては、例えば筆状、ブラシ状、スポンジ状等のものが挙げられる。
【００２０】
また、キャップ１０を容器体１の口部２に装着した状態で、塗布具２０の棒部２２においてしごき片３２の下端よりも軸線Ｌ１方向下方に位置する部分に、段部２３が形成されている。棒部２２において段部２３に軸線Ｌ１方向上方から連なる部分２４は、段部２３に軸線Ｌ１方向下方から連なる部分２５よりも外径が小さくなっている。
【００２１】
しごき部材３０は、ニトリルゴム（ＮＢＲ）、低密度ポリエチレン（ＬＤＰＥ）、直鎖状低密度ポリエチレン（ＬＬＤＰＥ）等の弾性変形可能な軟材質の材料からなり、図２、図３に示すように、口部２に固定されて軸線Ｌ１方向に延びる筒状部３１と、筒状部３１に一体に形成された弾性変形可能な環状のしごき片３２と、を備えている。
【００２２】
筒状部３１は、口部２に嵌合しており、この筒状部３１の上端には、径方向外方に向けてフランジ部３３が突設されている。このフランジ部３３は、口部２の上端開口縁に当接することで口部２に対するしごき部材３０の軸線Ｌ１方向の位置決めがなされている。また、筒状部３１の下部は、口部２より下方に突出しており、この筒状部３１の下部には、径方向外方に向けて環状のストッパ部３６が突設されている。このストッパ部３６は、口部２の下端開口縁に下側から近接若しくは当接しており、しごき部材３０が口部２から抜き出されるのを防止している。さらに、筒状部３１において、口部２の上端開口縁と下端開口縁との間に位置する部分の外周面には、全周にわたって凹部３１ｂが形成されており、口部２との間に径方向の隙間が設けられている。
【００２３】
しごき片３２は、筒状部３１の内周面３１ａにおいて軸線Ｌ１方向の中間部に設けられている。本実施形態では、しごき片３２は、筒状部３１の内周面３１ａにおいて凹部３１ｂと対応する部分に連結されている。このしごき片３２は、容器体１の軸線Ｌ１方向下方に向かうにしたがって漸次容器体１の径方向内方に向けて直線状に延びており、しごき部材３０の軸線Ｌ１方向下側に向かうにしたがって漸次縮径されたテーパー形状に形成されている。このしごき片３２の内側には、前述した塗布具２０が容器体１の内部に収容された状態において塗布具２０の棒部２２が挿通されている。ここで、しごき片３２の内縁面３２ａの径、つまり軸線Ｌ１方向の下端における内径寸法は、塗布具２０の棒部２２の外径寸法よりも小さく形成されているため、しごき片３２が弾性変形することで、塗布具２０の棒部２２がしごき片３２の内縁面３２ａの内側を挿通することができる。
【００２４】
また、しごき片３２は、塗布具２０が軸線Ｌ１に沿う方向に移動することに伴って弾性変形するように形成されている。すなわち、塗布具２０の棒部２２をしごき片３２の内側に挿通させた状態において、塗布具２０を軸線Ｌ１に沿って下方に移動させると、しごき片３２が塗布具２０の棒部２２の外周面２２ａによって容器体１の軸線Ｌ１方向下側にめくれるようにしごき片３２が弾性変形する（図４参照）。また、塗布具２０を軸線Ｌ１に沿って上方に移動させると、しごき片３２が容器体１の軸線Ｌ１方向上側にめくれるようにしごき片３２が弾性変形する（図５参照）。
【００２５】
また、図２、図３に示すように、しごき片３２の径方向における内方部分の上面３２ｃ、つまり、テーパー形状のしごき片３２における内周面の下端部分には、しごき片３２の内縁の内側に突出した突起部３４が１つだけ突設されている。突起部３４は、しごき片３２の径方向に沿って延設された弾性変形可能な板状部であり、しごき片３２の内周部の上面から径方向内側に向けて張り出されている。この突起部３４は、しごき片３２に対して一体的に連結されており、図３に示すように平面視において略矩形状に形成されていると共に先端がしごき片３２の内縁の内側に配設されている。この突起部３４の先端としごき片３２の内縁との間には、突起部３４の下面３４ａとしごき片３２の内縁面３２ａとからなる段差３５が形成されている。つまり、突起部３４の下面３４ａは、しごき片３２の内縁面３２ａの上端から径方向内側に向けて突出されている。
【００２６】
また、図１に示すように、キャップ１０を容器体１の口部２に装着した状態で、しごき片３２の上面３２ｃが、塗布具４０の棒部２２の外周面２２ａにおいて段部２３に軸線Ｌ１方向上方から連なる部分２４に突き当てられている。また、このしごき片３２の内縁面３２ａおよび突起部３４の先端面３４ｂは、段部２３に軸線Ｌ１方向で対向している。
【００２７】
以上のように構成された塗布具付容器Ａにおいて、図４に示すように、しごき片３２に突設された突起部３４が塗布具２０の棒部２２によって押し下げられると共に、しごき片３２が塗布具２０の棒部２２の外周面２２ａによって容器体１の軸線Ｌ１方向下側にめくれるようにしごき片３２が弾性変形する。この際、筒状部３１の外周面のうち、しごき片３２が連結される部分に凹部３１ｂが形成されており、この凹部３１ｂの形成部分が変形しやすくなっているので、しごき片３２が弾性変形しやすい。さらにこのとき、突起部３４の周辺部においては、しごき片３２と塗布具２０の棒部２２の外周面２２ａとの間に隙間があけられる。したがって、塗布具２０を容器体１の内部に挿入する際に塗布具２０としごき片３２との間に発生する摩擦抵抗が低下すると共に、上記した隙間から容器体１内の圧力が抜け出て容器体１の内圧上昇が抑えられる。
【００２８】
ここで、突起部３４がしごき片３２の上面に突設されているので、塗布具２０を挿入し、塗布具２０の棒部２２によってしごき片３２が下側にめくれるように弾性変形したとき、突起部３４の周囲において、しごき片３２と塗布具２０の棒部２２の外周面２２ａとの間に隙間が確実にあけられる。
また、突起部３４がしごき片３２の径方向に沿って延設されているので、突起部３４が下向きに変形しやすく、塗布具２０を挿入したとき、突起部３４が塗布具２０を係止することがなく、突起部３４が容易に押し下げられ、しごき片３２が容易に弾性変形される。
【００２９】
一方、図５に示すように、塗布具２０を容器体１の内部から抜き出す際には、しごき片３２が塗布具２０の棒部２２の外周面２２ａによって軸方向上側にめくられるように弾性変形すると共に、塗布具２０の棒部２２がしごき片３２の内周部に対して摺動し、塗布具２０の棒部２２の外周面２２ａに付着した内容物がしごき片によってしごき落とされる。このとき、突起部３４がしごき片３２の内縁の内側に突出しているので、塗布具２０の引き抜き時に、突起部３４が塗布具２０の棒部２２の外周面２２ａによって軸方向上側に押し上げられる。これにより、しごき片３２が容易に上側にめくられるように弾性変形する。また、筒状部３１の外周面のうち、しごき片３２が連結される部分に凹部３１ｂが形成されているので、しごき片３２が軸方向上側にめくられるように弾性変形する際、筒状部３１における凹部３１ｂの形成部分が拡径変形する。これにより、しごき片３２が軸方向上側にめくられるように弾性変形しやすくなる。
【００３０】
ここで、突起部３４がしごき片３２に１つだけ設けられているので、塗布具２０の引き抜き時に、塗布具２０の棒部２２によって突起部３４が容易に上側に押し上げられる。
また、突起部３４の先端としごき片３２の内縁との間に、突起部３４の下面３４ａとしごき片３２の内縁面３２ａとからなる段差３５が形成されているので、塗布具２０を引き抜き、塗布具２０の棒部２２によって突起部３４が上側に押し上げられたとき、しごき片３２の内周部が全周に亘って塗布具２０の棒部２２の外周面２２ａに密接し易くなる。その結果、塗布具２０の棒部２２に付着した内容物が全周に亘ってしごき落とされ易くなる。
また、突起部３４がしごき片３２の径方向に沿って延設されているので、突起部３４が上向きに変形しやすく、塗布具２０を引き抜いたとき、突起部３４が塗布具２０を係止することがなく、突起部３４が容易に押し上げられ、しごき片３２が容易に反転変形される。
【００３１】
上記した塗布具付容器Ａによれば、塗布具２０を容器体１の内部に挿入したときに、突起部３４の周辺部においては、しごき片３２と塗布具２０の棒部２２の外周面２２ａとの間に隙間があけられるため、容器体１の内部の過大な圧力上昇を防止することができ、塗布具２０を容器体１から抜き出す際に内容物が容器体１の外側に飛散することを予防できる。
【００３２】
また、突起部３４がしごき片３２に１つだけ設けられており、塗布具２０の引き抜き時に突起部３４が容易に上側に押し上げられるので、塗布具２０の抜き出しが容易であり、操作性を向上させることができる。
【００３３】
また、突起部３４の先端としごき片３２の内縁との間に、突起部３４の下面３４ａとしごき片３２の内縁面３２ａとからなる段差３５が形成されているので、塗布具２０を引き抜くときに、しごき片３２の内周部が全周に亘って塗布具２０の棒部２２の外周面２２ａに密接し易くなるので、塗布具２０の棒部２２に付着した内容物を全周に亘ってしごき落とすことができ、内容物の垂れ落ちをより確実に防止することができる。
【００３４】
また、突起部３４がしごき片３２の径方向に沿って延設されており、塗布具２０の出し入れの際に、突起部３４が塗布具２０を係止することがなく、しごき片３２が容易に弾性変形されるので、塗布具２０の出し入れを容易に行うことができ、操作性を向上させることができる。
【００３５】
また、塗布具２０を抜き出す過程で、突起部３４の先端面３４ｂが段部２３に引っ掛かることで、この突起部３４が段部２３により押し上げられ、しごき片３２が容器体１の軸線Ｌ１方向上方にめくり上げられることなり、しごき片３２によって塗布具２０の外周面に付着した余分な液体をより一層確実にしごき落とすことができる。
さらに、しごき片３２が、容器体１の軸線Ｌ１方向下方に向かうにしたがって漸次容器体１の径方向内方に向けて直線状に延びているため、前述のように突起部３４の先端面３４ｂが段部２３に引っ掛かったときに、このしごき片２３に曲げ力を加えることが可能になり、塗布具２０を抜き出す過程でしごき片３２を容易かつ確実に前記軸線Ｌ１方向上方にめくり上げることが可能になる。
【００３６】
以上、本発明に係る塗布具付容器の実施の形態について説明したが、本発明は上記した実施の形態に限定されるものではなく、その趣旨を逸脱しない範囲で適宜変更可能である。
例えば、上記した実施の形態では、突起部３４の下面３４ａがしごき片３２の内縁面３２ａの上端から径方向内側に向けて突出されているが、本発明は、図６に示すように、突起部３４の下面３４ａがしごき片３２の内縁面３２ａの軸方向中間部分から径方向内側に向けて突出された構成であってもよい。
【００３７】
また、上記した実施の形態では、しごき片３２の径方向における内方部分の上面３２ｃに突起部３４が突設されており、突起部３４の上面３４ｃが、しごき片３２のテーパー状の上面の径方向中間部分から径方向内方に向けて延設されているが、本発明は、図７に示すように、しごき片３２の内縁面３２ａに突起部３４が突設され、突起部３４の上面３４ｃがしごき片３２の内縁面３２ａの上端から径方向内側に向けて突出された構成であってもよい。
【００３８】
また、上記した実施の形態では、突起部３４の先端としごき片３２の内縁との間に、突起部３４の下面３４ａとしごき片３２の内縁面３２ａとからなる段差３５が形成されているが、本発明は、図８に示すように、しごき片３２の内縁面３２ａに突起部３４が突設され、突起部３４の先端としごき片３２の内縁との間に段差が形成されていない構成であってもよい。
【００３９】
また、上記した実施の形態では、突起部３４がしごき片３２の径方向に沿って延設されているが、本発明は、図９、図１０に示すように、しごき片３２のテーパー状の上面に沿って突起部３４が延設されていてもよく、しごき片３２の上面と突起部３４の上面とが面一に形成されていてもよい。
【００４０】
また、上記した実施の形態では、しごき片３２に突起部３４が１つだけ設けられているが、本発明は、しごき片３２に複数の突起部３４が設けられていてもよい。
また、上記した実施の形態では、しごき片３２が下方に向かって漸次縮径されたテーパー形状を成しているが、本発明は、円環板状のしごき片が軸線Ｌ１に対して垂直に配設されていてもよい。
また、上記した実施の形態では、しごき片３２がしごき部材３０の軸方向中間部分に配設されており、口部２の内側にしごき片３２が配設されているが、本発明は、しごき片３２がしごき部材３０の軸方向下端や上端に配設されていてもよく、また、しごき片３２が口部２の下方や上方に配設されていてもよい。
また、上記した実施の形態では、口部２に装着されたしごき部材にしごき片３２が形成されているが、本発明は、しごき片３２を容器体１と一体に形成することが可能であり、例えば、口部２の内側にしごき片を形成することで、しごき部材を省略することができる。
【００４１】
また、上記した実施の形態では、塗布具２０の嵌合部２１がキャップ１０の内側に嵌合され、キャップ１０に塗布具２０が取り付けられた構成となっているが、本発明は、キャップ１０と塗布具２０とが分離された構成であってもよく、塗布具２０で内容物を塗布する際、塗布具２０の上端部を把持してもよい。
また、上記した実施の形態では、しごき部材３０の筒状部３１の外周面に凹部３１ｂを形成して、筒状部３１と口部２との間に径方向の隙間を設けたが、本発明は、口部２に環状の凹部を形成することで、筒状部３１と口部２との間に径方向の隙間を設けてもよい。
また、上記した実施の形態では、筒状部３１にストッパ部３６を設けたが、本発明は、ストッパ部３６を設けなくてもよい。
【００４２】
また、上記した実施の形態では、液体状の内容物が容器体１の内側に収容されているが、本発明は、液体状の内容物に限定されず、例えば粉末状の内容物が容器体１の内側に収容されていてもよい。
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４３】
１  容器体
２  口部
２０  塗布具
２２  棒部
３２  しごき片
３４  突起部
３５  段差
【図１】
2010259545.tif 000003
【図２】
2010259545.tif 000004
【図３】
2010259545.tif 000005
【図４】
2010259545.tif 000006
【図５】
2010259545.tif 000007
【図６】
2010259545.tif 000008
【図７】
2010259545.tif 000009
【図８】
2010259545.tif 000010
【図９】
2010259545.tif 000011
【図１０】
2010259545.tif 000012